(57)【要約】【課題】リクライニング角度変更用ベルトとヘッドレスト支持ベルトとを一本のベルトにより構成し、少ない部材点数により従来と同様な作用を行うことができるようにしたベビーカーを得ること。【解決手段】ベビーカー本体１０に装着されたシートの背当て部２３の傾斜角度を変更可能とするとともに、上記背当て部２３の頂端縁部にヘッドレスト２４を起伏可能に連接したベビーカーに関する。上記へッドレスト２４と左右のハンドルパイプ１７との間に張設されたヘッドレスト支持ベルト３１の両端を延長し、その延長部を上記シートの背当て部２３に装着して背当て部２３のリクライニング角度変更用ベルト３２とした。【選択図】  図１
2004210185.tif 000002
【特許請求の範囲】
【請求項１】
ベビーカー本体に装着されたシートの背当て部の傾斜角度を変更可能とするとともに、上記背当て部の頂端縁部にヘッドレストを起伏可能に連接したベビーカーにおいて、上記背当て部の傾斜角度を変更するためのリクライニング角度変更用ベルトと、上記ヘッドレストと左右のハンドルパイプとの間に張設されたヘッドレスト支持ベルトとを一体的に形成したことを特徴とするベビーカー。
【請求項２】
上記ヘッドレストに装着され、ヘッドレストと左右のハンドルパイプとの間に張設されたヘッドレスト支持ベルトの両端を延長し、その延長部を上記シートの背当て部に装着してシートのリクライニング角度変更用ベルトとしたことを特徴とする、請求項１記載のベビーカー。
【請求項３】
上記リクライニング角度変更用ベルトは、その両端部が上記背当て部の裏面側に筒状に縫製された開口部内に挿通され、その左右の先端部が上記背当て部の裏面に引き出され、上記リクライニング角度変更用ベルトの長さを調節することによりリクライニング角度を調節するようにしたことを特徴とする、請求項１または２記載のベビーカー。
【請求項４】
リクライニング角度変更用ベルトはシートを構成する生地に適切な位置で縫いつけられていることを特徴とする、請求項１乃至３のいずれかに記載のベビーカー。
【発明の詳細な説明】
【０００１】
【発明の属する技術分野】
本発明は、ベビーカー本体に装着されたシートの背当て部の傾斜角度を選択的に変更可能とするとともに、上記背当て部の頂端縁部にヘッドレストを起伏可能に連接したベビーカーに関する。
【０００２】
【従来の技術】
一般に、乳幼児を散歩や買い物等のために屋外に連れ出す場合に使用するベビーカーにおいては、必要に応じてシートの背当て部のリクライニング角度を変更することができるようにしたものが提案されている。すなわち、手押し杆の左右のハンドルパイプ間に上記背当て部を支持するリクライニング角度変更用ベルトが張設されており、そのリクライニング角度変更用ベルトに設けられた調節器具を操作してそのリクライニング角度変更用ベルトの長さを調節することにより背当て部の傾斜角度を変えることができるようにしたものがある。
【０００３】
図４は、従来のベビーカーの概略構成を示す図であって、ベビーカー本体１０は、双輪式の前輪１１を有する左右一対の前脚１２、双輪式の後輪１３を有する左右一対の後脚１４、ほぼ逆Ｕ字状に屈曲された手押し杆１５、左右一対のアームレスト１６によって構成されている。また上記手押し杆１５を構成する左右のハンドルパイプ１７の先端部にはそれぞれ連結杆１８が枢着されており、その連結杆１８の前端部が前脚１２に枢着されている。そして、上記ベビーカー本体１０にシート２０が装着されている。
【０００４】
すなわち、上記シート２０は座面部２２とその座面部２２に連接された背当て部２３とを有し、さらに上記背当て部２３の上縁部にヘッドレスト２４が起伏可能に連接されており、その座面部２２の両端部が上記連結杆１８に装着され、背当て部２３及びヘッドレスト２４の両側部２１が手押し杆１５を構成するハンドルパイプ１７に装着支持されている。
【０００５】
上記ヘッドレスト２４の裏面側には、図５に示すように、ヘッドレスト支持ベルト２５が装着されており、そのヘッドレスト支持ベルト２５の両端が上記背当て部２３及びヘッドレスト２４の両側部２１とともにハンドルパイプ１７に固着されている。一方、背当て部２３の裏面側にはその左右部に筒状に縫製された開口部２６が形成されており、両開口部２６にはそれぞれ一端にバックル２７が取り付けられたリクライニング角度変更用ベルト２８が挿通装着されている。上記リクライニング角度変更用ベルト２８の他端には紐２９が縫い付けられており、その各紐２９が上記背当て部２３の裏面側に形成された穴３０からそれぞれ外方に引き出され、両方の紐２９を結ぶことにより或いは図示しない調節器具によりリクライニング角度変更用ベルト２８の長さを調節することができるようにしてある。
【０００６】
しかして、ハンドルパイプ１７に固着された図示しないフックにリクライニング角度変更用ベルト２８のバックル２７を係合させると、図４に示すように、背当て部２３がリクライニング角度変更用ベルト２８により支持されヘッドレスト２４とほぼ同一平面状態となる。そこで、リクライニング角度変更用ベルト２８の紐２９を緩め長さを調節することにより、背当て部２３のリクライニング角度すなわち傾斜角度を変更調節することができる。
【０００７】
さらに、背当て部２３を下方に揺動し、傾斜角度を小さくすると、ヘッドレスト２４の上縁部がハンドルパイプ１７に対してヘッドレスト支持ベルト２５により支持されているので、図６に示すように、ヘッドレスト２４が背当て部２３に対して起き上がり、シートに寝ている乳幼児の頭部保護板を構成するようにすることができる。
【０００８】
【発明が解決しようとする課題】
ところが、このようなものに於いては、リクライニング角度の変更に応じてヘッドレスト２４を起き上がるようにする機能を縫製品のみで行うことができるけれども、バックル２７に取付けたリクライニング角度変更ベルト２８を２点、そのリクライニング角度変更用ベルトに連結する紐２９を２点、及びリクライニング角度に応じてヘッドレスト２４を起こすためのヘッドレスト支持ベルト２５を１点、計５点が最低必要であり、これらを用意して縫製する必要があり、手間が掛かる等の問題がある。本発明は、このような点に鑑み、少ない部材点数により従来と同様な作用を行うことができるようにしたベビーカーを得ることを目的とする。
【０００９】
【課題を解決するための手段】
請求項１に係る発明は、ベビーカー本体に装着されたシートの背当て部の傾斜角度を変更可能とするとともに、上記背当て部の頂端縁部にヘッドレストを起伏可能に連接したベビーカーにおいて、上記背当て部の傾斜角度を変更するためのリクライニング角度変更用ベルトと、上記ヘッドレストと左右のハンドルパイプとの間に張設されたヘッドレスト支持ベルトとを一体的に形成したことを特徴とする。
【００１０】
請求項２に係る発明は、請求項１に係る発明において、上記ヘッドレストに装着され、ヘッドレストと左右のハンドルパイプ１７との間に張設されたヘッドレスト支持ベルトの両端を延長し、その延長部を上記シートの背当て部に装着してシートのリクライニング角度変更用ベルトとしたことを特徴とする。
【００１１】
請求項３に係る発明は、請求項１または２に係る発明において、上記リクライニング角度変更用ベルトは、その両端部が上記背当て部の裏面側に筒状に縫製された開口部内に挿通され、その左右の先端部が上記背当て部の裏面に引き出され、上記リクライニング角度変更用ベルトの長さを調節することによりリクライニング角度を調節するようにしたことを特徴とする。
【００１２】
また、請求項４に係る発明は、請求項１乃至３のいずれかに係る発明において、リクライニング角度変更用ベルトはシートを構成する生地に適切な位置で縫いつけられていることを特徴とする。
【００１３】
【発明の実施の形態】
以下、図１〜図３を参照して本発明の実施の形態について説明する。
【００１４】
図１は本発明のベビーカーの概略構成を示す図であって、ベビーカー本体１０は、双輪式の前輪１１を有する左右一対の前脚１２、双輪式の後輪１３を有する左右一対の後脚１４、ほぼ逆Ｕ字状に屈曲された手押し杆１５、左右一対のアームレスト１６によって構成されている。また上記手押し杆１５を構成する左右のハンドルパイプ１７の先端部にはそれぞれ連結杆１８が枢着されており、その連結杆１８の前端部が前脚１２に枢着されている。そして、上記ベビーカー本体１０にシート２０が装着されている。上記シート２０はベースシート２０ａとそのベースシート２０ａ上に載置装着される着脱シート２０ｂから構成されている。
【００１５】
すなわち、上記ベースシート２０ａは座面部２２とその座面部２２に連接された背当て部２３とを有し、さらに上記背当て部２３の上縁部にヘッドレスト２４が起伏可能に連接されており、その座面部２２の両端部が上記連結杆１８に装着され、背当て部２３及びヘッドレスト２４の両側部２１が手押し杆１５を構成するハンドルパイプ１７に装着支持されている。
【００１６】
上記構成は従来のものとほぼ同一であるが、ヘッドレスト支持ベルトがリクライニング角度変更用ベルトと一体に形成されている。すなわち、図２に示すように、ヘッドレスト２４の裏面側にはヘッドレスト支持ベルト３１が挿通縫着されており、そのヘッドレスト支持ベルト３１を介してヘッドレスト２４の頂縁部がベースシート２０における背当て部２３及びヘッドレスト２４の両側部２１とともにハンドルパイプ１７に連結されている。上記ヘッドレスト支持ベルト３１は左右に延長され、その延長部によりリクライニング角度変更用ベルト３２が形成され、そのリクライニング角度変更用ベルト３２は、上記ヘッドレスト２４とハンドルパイプ１７間を連結するヘッドレスト支持ベルト３１と交差して、背当て部２３の左右部に筒状に形成された開口部２６に挿通され、その先端部に縫着された紐３３が背当て部２３の裏面側に形成された穴３０から引き出され、その紐３３に長さ調節器具３４が取り付けられている。
【００１７】
しかして、上記調節器具３４により紐３３を介してリクライニング角度変更用ベルト３２の長さを短くすると、図１に示すように、背当て部２３の上部が上記リクライニング角度変更用ベルト３２により持ち上げられ、その傾斜角度が大きくなるように調節され、それとともにヘッドレスト２４と上記背当て部２３がほぼ同一平面状になるようにされる。
【００１８】
一方、調節器具３４により紐３３を介してリクライニング角度変更用ベルト３２の長さを長くすると、図３に示すように、背当て部２３が後方に倒伏されて傾斜角度が小さくなるように調節される。この場合、ヘッドレスト２４はヘッドレスト支持ベルト３１によってハンドルパイプ１７から吊設されているので、上記背当て部２３の傾斜に応じてヘッドレスト２４が背当て部２３に対して起き上がった状態に調整される。
【００１９】
ところで、上記リクライニング角度変更用ベルト３２の適宜位置をベースシート２０ａのハンドルパイプ１７への固着部近傍においてベースシート２０ａの生地に縫着しておけば、ハンドルパイプ１７と上記縫着部との間ではリクライニング角度変更用ベルト３２が伸縮することがなく、その長さ調節が規制され、背当て部２３のリクライニング角度を一定以上起こさないようにすることができる。
【００２０】
なお、上記実施の形態に於いては、ベースシート２０ａにリクライニング角度変更用ベルト３２及びヘッドレスト支持ベルト３１を装着したものを示したが、ベースシート２０ａと着脱シート２１ｂとが分離されていないものに於いてはシート自体に上記ベルトを直接装着してもよいことは勿論である。
【００２１】
【発明の効果】
以上説明したように、本発明は、ヘッドレスト支持ベルトとリクライニング角度変更用ベルトとを一体としたので、部品点数を減少することができるとともに、縫製の手間を少なくすることができる等の効果を奏する。
【図面の簡単な説明】
【図１】本発明のベビーカーの概略構成を示す図であり、背当て部の傾斜角度を大きくした状態を示す図。
【図２】シート部を背面側から見た拡大斜視図。
【図３】本発明のベビーカーの概略構成を示す図であって、背当て部が倒伏状態を示す図。
【図４】従来のベビーカーの概略構成を示す図であって、背当て部の傾斜角度を大きくした状態を示す図。
【図５】従来のベビーカーにおける背当て部の裏面側を示す斜視図。
【図６】従来のベビーカーの概略構成を示す図であって、背当て部が倒伏した状態を示す図。
【符号の説明】
１０  ベビーカー本体
１１  前輪
１２  前脚
１３  後輪
１４  後脚
１５  手押し杆
１６  アームレスト
１７  ハンドルパイプ
２０ａ  ベースシート
２０ｂ  着脱シート
２２  座面部
２３  背当て部
２４  ヘッドレスト
２６  筒状に形成された開口部
３０  穴
３１  ヘッドレスト支持ベルト
３２  リクライニング角度変更用ベルト
３３  紐
３４  調節器具
【図１】
2004210185.tif 000003
【図２】
2004210185.tif 000004
【図３】
2004210185.tif 000005
【図４】
2004210185.tif 000006
【図５】
2004210185.tif 000007
【図６】
2004210185.tif 000008